(57)【要約】【課題】本発明の課題は、悪質な迷惑電話の着信を防止し、ひいてはそのような迷惑電話による被害をなくすことである。【解決手段】本発明は、迷惑電話番号データを記憶する迷惑電話番号データ記憶手段と、外部の端末装置からの回線接続要求を受け付けて、前記端末装置に割り当てられた番号データを取得する番号データ取得手段と、前記取得された番号データが前記迷惑電話番号データ記憶手段に記憶されているか否かを判断する迷惑電話判断手段と、前記回線接続要求に基づいて前記端末装置との回線を接続する回線接続手段と、を備え、前記回線接続手段は、前記迷惑電話判断手段により前記迷惑電話番号データ記憶手段に記憶されていると判断される場合に、前記回線接続要求に基づく回線を強制的に接続することを特徴とする電話機である。【選択図】　図１
2004072346.tif 000002
【特許請求の範囲】
【請求項１】
第１の電話番号データを記憶する電話番号データ記憶手段と、
外部の端末装置からの回線接続要求を受け付けて、前記端末装置に割り当てられた第２の電話番号データを取得する番号データ取得手段と、
前記取得された第２の電話番号データが前記電話番号データ記憶手段に記憶されているか否かを判断する迷惑電話判断手段と、
前記回線接続要求に基づいて前記端末装置との回線を接続する回線接続手段と、を備え、
前記回線接続手段は、前記迷惑電話判断手段により前記電話番号データ記憶手段に記憶されていると判断される場合に、前記回線接続要求に基づく回線を強制的に接続することを特徴とする電話機。
【請求項２】
前記電話機は、
前記回線接続要求に応答して利用者に回線接続要求を通知する通知手段をさらに備え、
前記通知手段は、前記回線接続手段によって回線が強制的に接続された後、利用者に通知を行うことを特徴とする請求項１記載の電話機。
【請求項３】
前記通知手段は、前記利用者による回線接続操作がなされた場合に、前記通知を停止することを特徴とする請求項２記載の電話機。
【請求項４】
前記電話番号データ記憶手段は、所定の電話番号データが属すべき所定のグループを記憶するものであり、
前記迷惑電話判断手段が、前記端末装置に割り当てられた電話番号データが前記所定のグループに属すると判断する場合に、前記回線接続手段は、前記回線接続要求に基づく回線を強制的に接続することを特徴とする請求項１乃至３のいずれか一項に記載の電話機。
【請求項５】
前記電話番号データ記憶手段は、前記所定のグループごとに前記強制的な接続を行うか否かを示すフラグを記憶するものであり、
前記迷惑電話判断手段が、前記端末装置に割り当てられた電話番号データが前記所定のグループに属すると判断し、かつ、前記フラグが前記強制的な接続を行う旨を示す場合に、前記回線接続手段が、前記回線接続要求に基づく回線を強制的に接続することを特徴とする請求項４に記載の電話機。
【請求項６】
前記迷惑電話判断手段が、前記端末装置に割り当てられた電話番号データが前記所定のグループに属すると判断し、かつ、前記フラグが前記強制的な接続を行わない旨を示す場合に、前記回線接続手段が前記回線接続要求に基づく回線を強制的に接続することなく、前記通知手段が、前記回線接続要求に応答して利用者に回線接続要求を通知することを特徴とする請求項４または５に記載の電話機。
【請求項７】
迷惑電話番号データを記憶する迷惑電話番号データ記憶手段を備える電話機における迷惑電話防止処理方法であって、
外部の端末装置からの回線接続要求を受け付けて、前記端末装置に割り当てられた電話番号データを取得する番号データ取得段階と、
前記取得された電話番号データが前記電話番号データ記憶手段に記憶されているか否かを判断する迷惑電話判断段階と、
前記迷惑電話判断段階において前記電話番号データ記憶手段に記憶されていると判断される場合に、前記回線接続要求に基づく回線を強制的に接続する回線接続段階と、を備えることを特徴とする迷惑電話防止処理方法。
【請求項８】
所定の制御回路を有する電話機に所定の機能を実現させるプログラムであって、前記プログラムは、
所定の電話番号記憶手段に電話番号データを記憶させる機能と、
外部の端末装置からの回線接続要求を受け付けて、前記端末装置に割り当てられた番号データを取得する番号データ取得機能と、
前記取得された番号データが前記電話番号データ記憶手段に記憶されているか否かを判断する迷惑電話判断機能と、
前記迷惑電話判断機能により前記電話番号データ記憶手段に記憶されていると判断される場合に、前記回線接続要求に基づく回線を強制的に接続する回線強制接続機能と、
を前記電話機に実現させることを特徴とするプログラム。
【発明の詳細な説明】
【０００１】
【発明の属する技術分野】
本発明は、迷惑電話防止機能を備えた電話機の技術および迷惑電話防止処理方法に関する。
【０００２】
【従来技術】
携帯電話機等に発信し相手が出ないうちに１コールで切る行為は、俗に「ワンギリ」と呼ばれている。近年、この「ワンギリ」を悪用した迷惑電話による被害が各地で急増し、社会問題化している。
【０００３】
その手口としては、１）悪質業者がモデム機能を備えたコンピュータ等から自動的にユーザーの携帯電話機に発信しワンコールで切り、２）ユーザーが着信履歴の番号を見てコールバックすると、３）有料番組の案内テープにつながる、というものである。さらにその有料番組から個人情報等を入力すると各キャリアの携帯電話料金請求書とはまったく無関係に多額な請求がくるというものである。
【０００４】
このような迷惑電話に対して、各キャリアは、その対策サービスを実施している。例えば、利用者が迷惑電話の電話番号をセンターに登録しておき、以降、自動的にその電話番号からの着信を拒否するというサービスがある。
【０００５】
【発明が解決しようとする課題】
しかしながら、このような対策サービスを実施しても、迷惑電話が一向になくならないというのが実情である。その主な理由として、上記対策サービスでは、迷惑電話の被害を被る側が対策費用を負担しており、悪質業者側はその対策を施している利用者から着信拒否されるだけで、依然として通話料金を一切負担することなく、そのような行為を継続することができるからである。
【０００６】
そこで、本発明は、悪質な迷惑電話の着信を防止し、ひいてはそのような迷惑電話による被害をなくすことを目的としている。
【０００７】
【課題を解決するための手段】
本発明の要旨は、迷惑電話として登録されている端末装置（電話機）から電話がかかってきた場合に、その回線を即座に強制的に接続するようにしたことである。
【０００８】
すなわち、本発明は、電話番号データを記憶する電話番号データ記憶手段と、外部の端末装置からの回線接続要求を受け付けて、前記端末装置に割り当てられた電話番号データを取得する番号データ取得手段と、前記取得された電話番号データが前記電話番号データ記憶手段に記憶されているか否かを判断する迷惑電話判断手段と、前記回線接続要求に基づいて前記端末装置との回線を接続する回線接続手段と、を備え、前記回線接続手段は、前記迷惑電話判断手段により前記電話番号データ記憶手段に記憶されていると判断される場合に、前記回線接続要求に基づく回線を強制的に接続することを特徴とする電話機である。
【０００９】
ここで、前記電話機は、前記回線接続要求に応答して利用者に回線接続要求を通知する通知手段をさらに備え、前記通知手段は、前記回線接続手段によって回線が強制的に接続された後、利用者に通知を行うことが好ましい。
【００１０】
また、前記通知手段は、前記利用者による回線接続操作がなされた場合に、前記通知を停止することが好ましい。
【００１１】
さらに、前記電話番号データ記憶手段は、所定の電話番号が属すべき所定のグループを記憶するものであり、前記迷惑電話判断手段が、前記端末装置に割り当てられた番号データが前記所定のグループに属すると判断する場合に、前記回線接続手段は、前記回線接続要求に基づく回線を強制的に接続することが好ましい。
【００１２】
また、前記迷惑電話番号データ記憶手段は、前記所定のグループごとに前記強制的な接続を行うか否かを示すフラグを記憶するものであり、前記迷惑電話判断手段が、前記端末装置に割り当てられた電話番号データが前記所定のグループに属すると判断し、かつ、前記フラグが前記強制的な接続を行う旨を示す場合に、前記回線接続手段が、前記回線接続要求に基づく回線を強制的に接続する一方、前記迷惑電話判断手段が、前記端末装置に割り当てられた電話番号データが前記所定のグループに属すると判断し、かつ、前記フラグが前記強制的な接続を行わない旨を示す場合に、前記回線接続手段が前記回線接続要求に基づく回線を強制的に接続することなく、前記通知手段が、前記回線接続要求に応答して利用者に回線接続要求を通知することが好ましい。
【００１３】
また、本発明は、方法の発明としても把握することができる。すなわち、本発明は、迷惑電話番号データを記憶する電話番号データ記憶手段を備える電話機における迷惑電話防止処理方法であって、外部の端末装置からの回線接続要求を受け付けて、前記端末装置に割り当てられた電話番号データを取得する電話番号データ取得段階と、前記取得された番号データが前記電話番号データ記憶手段に記憶されているか否かを判断する迷惑電話判断段階と、前記迷惑電話判断段階において前記迷惑電話番号データ記憶手段に記憶されていると判断される場合に、前記回線接続要求に基づく回線を強制的に接続する回線接続段階と、を備えることを特徴とする迷惑電話防止処理方法である。
【００１４】
さらに、本発明は、所定の制御回路を有する電話機に所定の機能を実現させるプログラムまたは該プログラムを記録した記録媒体の発明としても成立する。すなわち、本発明は、所定の制御回路を有する電話機に所定の機能を実現させるプログラムであって、前記プログラムが、電話番号データ記憶手段に迷惑電話番号データを記憶させる機能と、外部の端末装置からの回線接続要求を受け付けて、前記端末装置に割り当てられた電話番号データを取得する番号データ取得機能と、前記取得された電話番号データが前記迷惑電話番号データ記憶手段に記憶されているか否かを判断する迷惑電話判断機能と、前記迷惑電話判断機能により前記電話番号データ記憶手段に記憶されていると判断される場合に、前記回線接続要求に基づく回線を強制的に接続する回線強制接続機能と、前記電話機に実現させることを特徴とする。
【００１５】
なお、本明細書において、手段とは、単に物理的手段を意味するものではなく、その手段が有する機能をソフトウェアによって実現する場合も含む。また、１つの手段が有する機能が２つ以上の物理的手段により実現されても、２つ以上の手段の機能が１つの物理的手段により実現されても良い。
【００１６】
【発明の実施の形態】
次に、本発明の実施の形態について、図面を参照しつつ説明する。
【００１７】
［第１の実施形態］
図１は、本実施形態に係る電話機の機能構成を説明するブロックダイアグラムである。なお、本実施形態では、電話機１が、無線通信可能ないわゆる携帯電話機であるものと説明することにする。
【００１８】
同図に示すように、携帯電話機１は、主制御回路１１、通話制御回路１２、送受信回路１３、スピーカ１４ａ、マイク１４ｂ、入出力回路１５、ボタンキー１６ａおよびディスプレイ１６ｂを備える。
【００１９】
主制御回路１１は、携帯電話機１の全体の動作を司るもので、ＣＰＵ１１１、ＲＡＭ１１２、不揮発性ＲＡＭ１１３およびＲＯＭ１１４を備え、これらは相互にバスを介して接続されている。主制御回路１１は、ＣＰＵ１１１がＲＯＭ１１３等に保持された制御プログラムを解釈実行しながら、他のハードウェア構成要素と適宜協働して動作することにより、携帯電話機１に所定の機能を実現させる。不揮発性ＲＡＭ１１３は、典型的には、システム情報や利用者により登録されたアドレス帳情報等を記憶している。また、本実施形態では、不揮発性ＲＡＭ１１３は、所定の領域（迷惑電話番号データ記憶領域）に迷惑電話番号データ（着信拒否電話番号データ）を記憶している。この迷惑電話番号データは、いわゆる「ワンギリ」を行うような本来着信を拒否すべき発呼者の電話番号データである。
【００２０】
通話制御部１２、スピーカ１４ａ、マイク１４ｂおよび送受信回路２８は、無線通話機能を携帯電話機１に実現するためのものである。すなわち、通話制御部１２を中心とした制御により、音声マイク１４ｂから入力された音声等に対して変調等の所定の処理を行って、これを電波として相手方（例えば基地局等）に送信するとともに、相手方から受信した電波に対して復調等の所定の処理を行って、これを音声として出力すべくスピーカ１４ａに送出し、携帯電話機１に無線通話機能を実現させる。
【００２１】
入出力制御回路１５は、主制御回路の制御の下、利用者によって操作されたボタンキー１６ａに基づく入力情報やさまざまな情報をディスプレイ１６ｂに表示する。無線通信により相手先電話機に電話をかける際には、ボタンキー１６ａから入力された相手先電話番号が入出力制御回路１５を介して通話制御部１２に送られ、通話制御部１２は回線接続処理を行う。
【００２２】
図２は、本実施形態に係る携帯電話機の電話着信時における処理の流れを説明するためのフローチャートである。このような処理は、例えば、主制御回路１１により実行される制御プログラムにより、他の制御回路等の相まって実現される。
【００２３】
同図に示すように、主制御回路１１は、送受信回路１３により回線接続要求（着信信号）を受信するまで、待ち受け状態として待機している（ＳＴＥＰ２０１）。この状態で、発呼者が当該携帯電話機１に割り当てられた電話番号に電話をかけると、交換機を介して当該携帯電話機１が呼び出される。
【００２４】
すなわち、主制御回路１１は、着信信号を受信すると、続いて送信されてくる番号データを受信する（ＳＴＥＰ２０２）。主制御回路１１は、不揮発性ＲＡＭ１１３の迷惑電話番号記憶領域を参照し（ＳＴＥＰ２０３）、受信した番号データが迷惑電話番号データとして登録されているか否か、つまり、着信した電話が迷惑電話であるか否かを判断する（ＳＴＥＰ２０４）。
【００２５】
主制御回路１１は、迷惑電話番号記憶領域に受信した番号データが迷惑電話番号データとして登録されていないと判断する場合には（ＳＴＥＰ２０４のＮｏ）、通常の呼び出し処理を行うよう、通話制御回路１２に指示をする。通話制御回路１２は、これを受けて、利用者に着信を知らせるため、スピーカ１４ａから呼び出し音を鳴らし（ＳＴＥＰ２０５）、その状態で回線接続操作（例えばハングアップ操作またはオフフック操作）がなされるまで待つ（ＳＴＥＰ２０６）。なお、この呼び出し処理において、例えば、マナーモード（バイブレータモード）が設定されている場合には、呼び出し音を鳴らす代わりに、携帯電話機１本体を振動させる。この呼び出し音が鳴っている間に、利用者によりハングアップ操作がなされると、通話制御回路１２は、主制御回路１１の制御の下、電話回線接続処理を行う（ＳＴＥＰ２０７）。したがって、発呼者には、この時点から課金が行われることになる。これにより、利用者は、発呼者または利用者のいずれかが電話回線を切断するまで、発行者と通話を行うことができる。
【００２６】
一方、迷惑電話番号記憶領域に受信した番号データが迷惑電話番号データとして登録されていると判断する場合には（ＳＴＥＰ２０４のＹｅｓ）、主制御回路１１は、すぐに電話回線接続処理を行う（ＳＴＥＰ２０８）。発呼者には、この時点から課金が行われることになる。続いて、主制御回路１１は、スピーカ１４ａから呼び出し音を鳴らし（ＳＴＥＰ２０９）、その状態でハングアップ操作がなされるまで待つ（ＳＴＥＰ２０６）。主制御回路１１は、もし、発行者が自発的に回線を接続しておらず、利用者によりハングアップ操作がなされると、通話制御回路１２に通話可能な状態にするよう指示をする。なお、この場合には、すでにＳＴＥＰ２０８において電話回線の接続処理がなされているので、通話制御回路１２は、通話を可能にするためにスピーカ１４ａおよびマイク１４ｂをＯＮにする。
【００２７】
なお、上記のフローチャートでは、処理の流れをシーケンシャルに説明したが、特にこれにこだわるものではない。従って、動作に矛盾が生じない限り、処理の順序を入れ替えまたは並行動作するように構成しても良い。
【００２８】
以上のように、本実施形態によれば、利用者の電話機に発呼者から着信があった際に、その発呼者の電話番号が迷惑電話としてメモリに登録されている場合には、その回線接続要求に対して直ちに回線を接続するようにしているので、たとえ、発呼者が１コールで電話回線を自発的に切断しようとしていたとしても、その前に課金がなされることになる。したがって、悪質な業者が、いわゆるワンギリをしようとしても、本実施形態に係る電話機に対しては通話コストがかかるので、コスト的に割が合わないワンギリによる勧誘手法の減少を期待することができる。
【００２９】
［第２の実施形態］
本実施形態は、着信を拒否したい発呼者の電話番号を迷惑電話番号として登録することに加えて、所定のグループに個々の電話番号を分類、登録し、そのグループごとに着信の拒否または許可するようにしたことを特徴としている。
【００３０】
なお、本実施形態もまた、着信側の電話機として携帯電話機を例にして説明している。
【００３１】
図１は、本実施形態に係る迷惑電話番号データ記憶領域のデータ構造の一例を示す図である。同図に示すように、本実施形態では、迷惑電話番号データ記憶領域は、個別迷惑電話番号登録領域とグループ登録領域とから形成されている。個別迷惑電話番号登録領域には、迷惑電話防止機能を適用したい電話番号データが登録され、さらに、その迷惑電話防止機能が現在において有効か否かを示すフラグが与えられている。本例では、このフラグの値が“１”の場合は有効、“０”の場合は無効を示している。なお、このように有効フラグを設けることにより、一旦、迷惑電話番号として迷惑電話防止機能を適用対象として設定した電話番号であっても、このフラグの値を変更することで、一時的に有効・無効を切り替えるといった柔軟な利用ができるようになる。
【００３２】
また、グループ登録領域は、所定のグループごとに迷惑電話防止機能の適用を指定するためのものであって、同様に、有効フラグが与えられている。本例では、非通知、アドレス帳および特定の番号で始まる電話番号のそれぞれのグループについてフラグが与えられている。例えば、非通知のグループには“１”が与えられ、これは迷惑電話防止機能の適用対象であることを意味している。また、電話帳登録有りのグループには“０”が与えられ、これは迷惑電話防止機能の非適用対象、つまり電話帳に登録されている場合には迷惑電話防止機能を適用しないことを意味している。
【００３３】
図２は、本実施形態に係る携帯電話機の電話着信時における処理の流れを説明するためのフローチャートである。
【００３４】
同図に示すように、主制御回路１１は、送受信回路１３により回線接続要求（着信信号）を受信するまで、待ち受け状態として待機している（ＳＴＥＰ２０１）。この状態で、発呼者が当該携帯電話機１に割り当てられた電話番号に電話をかけると、交換機を介して当該携帯電話機１が呼び出される。
【００３５】
すなわち、主制御回路１１は、着信信号を受信すると、続いて送信されてくる番号データを受信する（ＳＴＥＰ２０２）。主制御回路１１は、不揮発性ＲＡＭ１１３の迷惑電話番号記憶領域を参照し（ＳＴＥＰ２０３）、受信した番号データが迷惑電話番号データとして登録されているか否か、つまり、着信した電話が迷惑電話防止機能の適用対象であるか否かを判断する（ＳＴＥＰ２０４）。
【００３６】
主制御回路１１は、迷惑電話番号記憶領域に受信した番号データが迷惑電話番号データとして登録されていると判断する場合には（ＳＴＥＰ２０４のＹｅｓ）、迷惑電話防止処理を行う（ＳＴＥＰ２０８）。
【００３７】
図３は、本実施形態における迷惑電話防止処理の流れを説明するためのフローチャートである。この迷惑電話防止処理は、図２におけるＳＴＥＰ２０８以降の処理と同様である。すなわち、主制御回路１１は、直ちに回線接続処理を行い（ＳＴＥＰ３０１）、続いて、主制御回路１１は、スピーカ１４ａから呼び出し音を鳴らし（ＳＴＥＰ３０２）、その状態でハングアップ操作がなされるまで待つ（ＳＴＥＰ３０３）。主制御回路１１は、もし、発行者が自発的に回線を接続しておらず、利用者によりハングアップ操作がなされた場合には、通話制御回路１２に通話開始処理を行う（ＳＴＥＰ３０４）。
【００３８】
図２に戻り、主制御回路１１は、迷惑電話番号記憶領域に受信した番号データが迷惑電話番号データとして登録されていないと判断する場合には（ＳＴＥＰ２０４のＮｏ）、次に、それが迷惑電話防止機能の適用対象であるグループに属するか否かを判断する（ＳＴＥＰ２０５）。主制御回路１１は、受信した番号データが迷惑電話防止機能の適用対象であるグループに属すると判断する場合には（ＳＴＥＰ２０５のＹｅｓ）、上述した迷惑電話防止処理を行う（ＳＴＥＰ２０８）。例えば、図１に示したように、受信した番号データが非通知の電話番号である場合、
主制御回路１１は、受信した番号データが迷惑電話防止機能の適用対象であるグループに属さないと判断する場合には（ＳＴＥＰ２０５のＮｏ）、さらに、それが迷惑電話防止機能の非適用対象であるグループに属するか否かを判断する（ＳＴＥＰ２０６）。主制御回路１１は、受信した番号データが迷惑電話防止機能の非適用対象であるグループに属さないと判断する場合には（ＳＴＥＰ２０５のＹｅｓ）、上述した迷惑電話防止処理を行う一方（ＳＴＥＰ２０８）、これに属すると判断する場合には、通常の呼び出し処理を行う（ＳＴＥＰ２０７）。なお、通常の呼び出し処理は、図２に示したＳＴＥＰ２０５〜２０７の処理と同様であるので、説明を省略する。
【００３９】
なお、上記のフローチャートでは、処理の流れをシーケンシャルに説明したが、特にこれにこだわるものではない。従って、動作に矛盾が生じない限り、処理の順序を入れ替えまたは並行動作するように構成しても良い。
【００４０】
図４は、本実施形態に係る迷惑電話番号登録処理を説明する画面例を示している。すなわち、まず、利用者の携帯電話機１に着信があったとする（同図（ａ））。なお、本例では、その着信の呼び出し音の回数が表示されている。このように、携帯電話機１がその着信の呼び出し音の回数を利用者に提示できることが好ましい。また、呼び出し音の回数の代わりに、呼び出し時間を提示するようにしてもよい。これにより、それがいわゆる「ワンギリ」か否かが利用者に認識できるからである。利用者が、この画面において、例えばメニュー６１に対応するボタンキーを選択したとすると、携帯電話機１は、次の操作画面に移行する（同図（ｂ））。この操作画面では、処理項目の一覧が示されている。利用者がここで迷惑電話登録項目を選択し、ＯＫボタン６２に対応するボタンキーを選択したとすると、次の迷惑電話番号登録画面に移行する（同図（ｃ））。この画面において、利用者がＯＫボタン６２に対応するボタンキーを選択すると、携帯電話機１は、その電話番号を迷惑電話番号記録領域に迷惑電話番号データとして登録する。
【００４１】
以上のように、本実施形態によれば、第１の実施形態と同様の利点を奏することが期待される。
【００４２】
また、本実施形態によれば、個別の登録以外の方法で、所定のグループごとに迷惑電話防止機能の適用または非適用を選択することができる。これにより、例えば、非通知や電話帳に登録されていない電話番号からの電話について迷惑電話として相手方に課金させることができる。
【００４３】
なお、本実施形態においては、迷惑電話番号登録領域には電話番号および／または所定のグループごとに迷惑電話防止機能を有効にするか否かを示すフラグを設けることとしたが、これを省略し、ここに登録されているものについては常に迷惑電話防止処理を行うようにしてもよい。
【００４４】
［その他の実施形態］
上記各実施形態は、本発明を説明するための例示であり、本発明をこれらの実施形態にのみ限定する趣旨ではない。本発明は、その要旨を逸脱しない限り、さまざまな形態で実施することができる。
【００４５】
例えば、上記実施形態では、数桁の数字から構成される電話番号として説明したが、例えばアルファベット等の文字を含んで構成される識別情報であっても同様に適用できる。
【００４６】
また、例えば、本発明に係る電話機は、迷惑履歴機能を備えていてもよい。すなわち、このような電話機は、呼び出し音の回数が１回（または短時間）である発呼者の電話番号を履歴として内部の不揮発性メモリに記録しておき、再度、同一の電話番号から電話があった場合には、通信事業者の管理サイトに通知を行うようにしてもよい。通信事業者の管理サイトでは、このような通知を受けた場合に、その電話番号からの着信を防止する等の措置をとる。
【００４７】
【発明の効果】
本発明によれば、悪質な迷惑電話の着信を防止し、ひいてはそのような迷惑電話による被害をなくすことを目的としている。
【図面の簡単な説明】
【図１】本発明の一実施形態に係る電話機の機能を説明するブロックダイアグラムである。
【図２】本発明の一実施形態に係る携帯電話機の電話着信時における処理の流れを説明するためのフローチャートである。
【図３】本発明の一実施形態に係る迷惑電話番号データ記憶領域のデータ構造の一例を示す図である。
【図４】本発明の一実施形態に係る携帯電話機の電話着信時における処理の流れを説明するためのフローチャートである。
【図５】本発明の一実施形態における迷惑電話防止処理の流れを説明するためのフローチャートである。
【図６】本発明の一実施形態に係る迷惑電話番号登録処理を説明する画面例を示している。
【符号の説明】
１１…主制御回路
１２…通話制御回路
１３…送受信部
１４ａ…スピーカ
１４ｂ…スピーカ
１５…表示制御回路
１６ａ…ディスプレイ
１６ｂ…ボタンキー
【図１】
2004072346.tif 000003
【図２】
2004072346.tif 000004
【図３】
2004072346.tif 000005
【図４】
2004072346.tif 000006
【図５】
2004072346.tif 000007
【図６】
2004072346.tif 000008